(57)【特許請求の範囲】
【請求項１】
上下に間隔をあけて二本以上の細長支持材が平行に設けられたフレームと、それら細長支持材に脱着可能にセットされてパネルを完成させる多数のパネル部材とを備え、全てのパネル部材は一本の細長支持材に二以上をセットできるサイズの二等辺三角形であり、個々のパネル部材は二等辺三角形の面板を有し、その面板は着色されており、面板の三辺に細長支持材に脱着可能に被せることのできる開口部が形成され、面板の色が異なる多数のパネル部材を組み合わせて細長支持材にセットすることにより、それらパネル部材の面板の色の組合わせにより所望の模様又は図形が表現されたパネルを形成でき、細長支持材へのパネル部材の配置を変えることにより、パネルの模様又は図形を変更可能であることを特徴とする組合せパネル。
【請求項２】
請求項１記載の組合わせパネルにおいて、フレームの多数本の細長支持材の全部、又は一部、又は最上段の細長支持材のみが、フレームから脱着可能であることを特徴とする組合せパネル。
【請求項３】
請求項１又は請求項２に記載の組合わせパネルにおいて、フレームが二以上連結可能であることを特徴とする組合わせパネル。
【発明の詳細な説明】
【０００１】
【発明の属する技術分野】
本発明は多数のパネル部材を組合わせて作られる組合わせパネルに関し、屋外のフェンス、室内のパーテーション等として使用することが可能なものである。
【０００２】
【従来の技術】
屋外のフェンス、室内のパーテーション、衝立等には各種形状、構造のものがある。
【０００３】
【発明が解決しようとする課題】
従来の屋外のフェンス、室内のパーテーション等は、デザインやサイズが定まっているため変化に乏しい。デザインやサイズを変えるためには、異なるデザインやサイズのものに買い替えたり、デザインを書き換えたりしなければならず、面倒であり、時間もかかり、不経済でもあった。
【０００４】
【課題を解決するための手段】
本発明はデザイン、サイズ等を適宜変えることができる組合わせパネルを提供するものである。また、所望のデザインを表現した多数のパネル部材を組合わせてパネルを完成させると、そのパネルに個々のパネル部材の着色の組合わせによる新たな模様や図形が表現されるようにしたものである。
【０００５】
本発明の第１の組合わせパネルは、上下に間隔をあけて二本以上の細長支持材が平行に設けられたフレームと、それら細長支持材に脱着可能にセットされてパネルを完成させる多数のパネル部材とを備え、全てのパネル部材は一本の細長支持材に二以上をセットできるサイズの二等辺三角形であり、個々のパネル部材は二等辺三角形の面板を有し、その面板は着色されており、面板の三辺に細長支持材に脱着可能に被せることのできる開口部が形成され、面板の色が異なる多数のパネル部材を組み合わせて細長支持材にセットすることにより、それらパネル部材の面板の色の組合わせにより所望の模様又は図形が表現されたパネルを形成でき、細長支持材へのパネル部材の配置を変えることにより、パネルの模様又は図形を変更可能としたものである。
【０００６】
本発明の第２の組合わせパネルは、前記組合わせパネルにおいて、フレームの多数本の細長支持材の全部、又は一部、又は最上段の細長支持材のみが、フレームから脱着可能なものである。
【０００７】
本発明の第３の組合わせパネルは、前記組合わせパネルにおいて、フレームが二以上連結可能なものである。
【０００８】
【０００９】
【００１０】
【００１１】
【発明の実施の形態】
（実施形態１）
本発明の組合わせパネルの実施形態を図１〜図５に基づいて説明する。これらの図に示す組合わせパネルは、図２に示す様に、縦長方形のフレーム１と、フレーム１の支柱２間に上下に間隔をあけて架設された細長支持材３と、細長支持材３に取り外し可能にセットされるパネル部材４とにより構成される。
【００１２】
フレーム１は左右の支柱２と、その上端に架設された上アングル５と、下端寄りに架設された中アングル６と、中アングル６よりも下に架設された下アングル７と、支柱２の下端に設けられた方形の下枠８により連結されて、縦長方形に形成されている。下枠８は図２（ｂ）（ｃ）に示す様に、支柱２の側方に突出する方形としてある。
【００１３】
下枠８には板、棒などの物載せ台９が取り付けられている。物載せ台９の外側には、物載せ台９に載せた植木鉢、プランター等１０の落下を防止するためのカバー１１が取り付けられている。カバー１１は取り外し式とか、開閉式にして植木鉢、プランター等１０を容易に載せ降ろしできるようにしてある。下枠８の下にはキャスター１２を取り付けてフレーム１を移動可能としてある。支柱２、各アングル５、６、７、下枠８、物載せ台９、カバー１１等の材質は特に限定されないが、金属製にすると安定性や強度等の面から望ましい。カバー１１には、金網、パンチングメタル等を使用することができる。フレーム１のサイズは任意に設計することができる。一例としては、高さＨ＝1655mm、幅Ｗ＝890mm、下枠８の奥行きＤ＝500mm程度とすると、一枚で衝立として使用するのに適し、図１の様に横に数枚連結するとパーテーションやフェンスとして使用するのに適したサイズとなる。
【００１４】
細長支持材３には丸型や角型のパイプ、棒等が使用される。多数本の細長支持材３のうち最上段のものは図２（ｂ）に示す様に、支柱２に形成されている差込み孔１３に抜き差し可能として、左右にスライドできるようにしてある。２段目以下の細長支持材３は支柱２に抜き差し可能とすることも、固定とすることもできるが、固定にしておくとフレーム１が安定し、取扱いにも便利である。最上段の細長支持材３と、フレーム１の上下方向途中の任意の細長支持材３とを抜き差し可能とすることもできる。細長支持材３は樹脂製、木材製、金属製といった任意の素材製とすることができるが、樹脂製にすると軽量で、フレーム１の移動等にも便利である。細長支持材３のサイズも任意に設計することができる。一例としては、フレーム１が前記サイズの場合、長さ864mm 、直径15mm程度とすると、フレーム１の支柱２間に架設して固定したり、抜き差しするのに便利である。支柱２の縦方向に架設する細長支持材３の間隔は７mm程度が適する。
【００１５】
パネル部材４は一本の細長支持材３に多数個セットできるサイズの二等辺三角形であり、二つのパネル部材４を図４（ａ）のように対向させて組合わせたときに、正方形になるようにしてある。パネル部材４は色が表示されて、細長支持材３にセットされた多数のパネル部材４の組合わせにより一枚のパネル２０が完成されると、そのパネル２０に、個々のパネル部材４の色が組合わされて新たな模様、図形が表現されるようにしてある。また、細長支持材３にセットするパネル部材４の配置を変えたり、裏表を逆にしたり、パネル部材４を他のデザインのもの変えたりすることにより、パネル２０に表現されるデザインを変えることができるようにしてある。
【００１６】
パネル部材４は図３に示す様に二等辺三角形の２枚の面板２３を対向させ、２枚の面板２３の角１４の内側に、立方体の連結子１５を取り付けて、三辺に開口部１６、１７、１８を形成し、いずれの開口部１６、１７、１８からも細長支持材３に被せることができるようにしてある。２枚の面板２３と連結子１５は樹脂により一体成型したり、木材とか他の素材を組合わせて形成したりすることもできる。
【００１７】
パネル部材４はパネル２０を完成するのに必要な多数個を１セットとする。パネル部材４に表示されている模様や図形は、１個ずつ同じものにしたり、異なるものにしたりすることができる。異なる色のものを数個ずつ用意したりすることもできる。パネル部材４は表裏面に異なるデザインを表現しておけば、パネル部材４を裏返しにするだけでパネル２０のデザインを部分的に、あるいは全体を変更することができる。デザインには蛍光塗料を使用することもできる。この場合、多数のパネル部材４を組合わせて完成されるパネル２０のデザインを、コンピュータの画面上で表現し、それを１セットの個々のパネル部材４に分割して表現しておくと、パネル部材４を組合わせてパネル２０を完成させたときに、そのパネル２０にコンピュータの画面上で作ったデザインが自動的に表現される。この場合、１セットのパネル部材４の組合わせを変えることにより、１セットのパネル部材４で異なる各種デザインのパネル２０を作り出すことができるようにすることができる。この場合、１セットのパネル部材４で作り出すことができるパネル２０のデザインをコンピュータで多数作成しておき、それらデザインと、そのデザインを作り出すためのパネル部材４の組合わせをＣＤ等に記録しておき、それを本発明の組合わせパネルを購入してくれたお客様に無償或は有償で提供すれば、組合わせパネルを購入したお客様は、１セットのパネル部材４で、ＣＤに記録されている各種デザインを作り出すことができる。
【００１８】
パネル部材４のサイズはフレーム１のサイズとの関係で任意に選択することができる。フレーム１のサイズが前記したサイズの場合、パネル部材４の二等辺の長さＬ＝70mm、幅Ｗ＝23mm、表裏板の間隔Ｄ＝16mmとすると、パネル部材４を細長支持材３にセットし易くなる。個々のパネル部材４のサイズが大きいと、パネルに表現されるデザインの輪郭が粗くなるが、完成させるパネルのサイズが同じ場合は、細長支持材３にセットするパネル部材４の数が少なくて済み、セットが容易になる。パネル部材４のサイズが小さい場合は大きい場合と逆になる。パネル部材４のサイズはこれらを考慮して決定するのがよい。
【００１９】
（組合わせ例）
本発明の組合わせパネルは、例えば、次のようにして使用される。
（１）最初に、図４のように、パネル部材４を中アングル６の直ぐ上の支持材（最下段の支持材）３にセットする。この場合、一つのパネル部材４を最下段の細長支持材３に下方からセットして、同パネル部材４の２枚の面板２３の間に支持材３を挟むようにし、その状態で両面板２３の底縁１９を中アングル６の上に載せる。
（２）次に、他のパネル部材４を最下段の細長支持材３に上から被せて、面板１３の間に支持材を挟むようにし、その状態でパネル部材４の斜縁を、先にセットしたパネル部材４の斜縁に突き合わせて、二つのパネル部材４を正方形に組合わせる。正方形に組合された一対のパネル部材４は最下段の細長支持材３に支持されて、パネル部材４の厚さ方向（図４（ｂ）の矢印ａ−ｂ方向）への移動（横ズレ）が阻止される。
（３）パネル部材４の前記（１）（２）のセットを繰り返して、一本の中アングル６の全長に、パネル部材４を正方形に組合わせて連続して載せる（セットする）。
（４）次に、図５の様に、先の細長支持材３の直ぐ上（下から２段目）の細長支持材３にパネル部材４をセットする。この場合、パネル部材４を横向きにして図５の矢印ｂ方向に移動させて細長支持材３に被せ、その後に、パネル部材４を図５の矢印ｃ方向に手前に９０度回転させて縦向きにし、両面板２３の底縁１９を中アングル６の上にセットしたパネル部材４の上にのせる。
（５）次に、他のパネル部材４を前記（４）と同様にして細長支持材３に被せ、両面板２３の底縁１９を中アングル６の上にセットしたパネル部材４の上にのせて、二つ一対のパネルを正方形に組合わせる。
（６）パネル部材４の前記（４）（５）のセットを繰り返して、下から二段目の細長支持材３の全長に二つ一対のパネルを正方形に組合わせる。
（７）前記（４）〜（６）のセットを繰り返して、下から上の細長支持材３に順次、パネル部材４をセットして、最上段の細長支持材３までセットすると、図１の様にパネル部材４の組合わせが完了して、図１の様な一枚のパネル２０が完成する。そのパネル２０に多数のパネル部材４のデザインが組合わされたデザインが表現される。
【００２０】
完成したパネル２０は図１の様に数枚連結したり、一枚単独で、パーテーション、フェンス等として使用することができる。この場合、フレーム１にキャスター１２が付いているため、移動が容易である。数枚連結する場合は、両外側に外部支柱２１を設けて、その下端を地面２２に埋め込むとパネル２０が安定する。物載せ台９にプランター、植木鉢等１０をのせて、花や植木で飾ることもできる。パネル２０のデザインは図６のように文字と図柄の組合せとしたり、他のものとすることができる。
【００２１】
（パネルの分解例）
図１の様に完成しているパネル２０を分解するには次のようにする。
（１）最上段の細長支持材３を横にスライドさせて、フレーム１から抜き取って、その列のパネル部材４をパネル部材４の厚さ方向に移動させて取り外して、その列を空にする。
（２）次に、上から二段目の列のパネル部材４を持ち上げるとか、横向きにして、上から２列目の細長支持材３から外す。
（３）前記（２）と同様にして、上から３段目以下の列のパネル部材４を細長支持材３から取り外す。
【００２２】
（デザインの変更例）
前記したパネルの分解例と同様にして、一部または全てのパネル部材４を細長支持材３から取り外してから、その部分に新たなパネル部材４を入れ替えたり、これまで使用してきたパネル部材４の面板２３の表裏を逆にして細長支持材３にセットし直したりして、パネル２０のデザインの一部または全てを変更する。
【００２３】
【発明の効果】
本発明の請求項１の組合わせパネルは次のような効果がある。
１．細長支持材にパネル部材をセットしてパネルを完成させるため、使用するフレームの大きさ、パネル部材の数を選択することにより、所望サイズのパネルを作ることができる。
２．細長支持材にパネル部材をセットしてパネルを完成させると、完成と同時にパネル部材の色の組合わせによるデザインがパネルにでき上がるため、パネル部材の模様を変えたり、パネル部材の配列を変えたりするだけで、パネルに所望のデザインを表現することができる。
３．細長支持材にセットするパネル部材を入れ替えたり、表裏面を変えたりするだけで、パネルのデザインを手軽に変えることができる。
【００２４】
本発明の請求項２の組合わせパネルは次のような効果もある。
１．フレームの係止部に係止された多数本の細長支持材の全部又は一部が、フレームから脱着可能であるため、一本の細長支持材をフレームから離脱する（引き抜く）だけで、他の細長支持材にセットされているパネル部材を取り外すことができる。
【００２５】
本発明の請求項３の組合わせパネルは次のような効果もある。
１．二等辺三角形のパネル部材の三辺に、細長支持材に脱着可能な開口部が開口されているため、細長支持材がフレームに固定されていても、パネル部材を細長支持材にセットすることができる。また、細長支持材をフレームから引き抜かなくとも、パネル部材を細長支持材から取り外すことができ、パネル部材のセット、取り外しが容易になる。
２．パネル部材が二等辺三角形であるため、二つのパネル部材を細長支持材の上下に対向させて、正方形に組合わせて縦横に並べることができ、方形のフレームの内側に規則正しくセットすることができる。
【００２６】
本発明の組合わせパネルは、フレームにキャスターが取り付けられているので、フレームを室内、屋外で自在に移動させて、所望の場所に設置することができる。
【００２７】
本発明の組合わせパネルは、フレームの下部に物のせ台があるため、それに植木鉢、プランターなどをのせて、装飾と重しを兼ねることができ、安定性が高まり、装飾にもなる。
【００２８】
本発明の組合わせパネルは、フレームが二以上連結可能であるため、連結するフレームの数を変えることにより、用途に合った大きさのパネルにすることができる。
【図面の簡単な説明】
【図１】  本発明の組合わせパネルの一例を示す正面図。
【図２】  （ａ）は本発明の組合わせパネルのフレームの一例を示す側面図、（ｂ）は同フレームの正面図、（ｃ）は同フレームの下部平面図。
【図３】  （ａ）は本発明の組合わせパネルにおけるパネル部材の正面側斜視図、（ｂ）は背面側斜視図。
【図４】  （ａ）は本発明の組合わせパネルにおけるパネル部材の組立て途上の正面説明図、（ｂ）は組立て途上の斜視図説明図。
【図５】  本発明の組合わせパネルにおけるパネル部材のセット方法の説明図。
【図６】  本発明のデザインの異なるパネルの説明図。
【符号の説明】
１  フレーム
２  支柱
３  細長支持材
４  パネル部材
５  上アングル
６  中アングル
７  下アングル
８  下枠
９  物載せ台
１０  プランター、植木鉢等
１１  カバー
１２  キャスター
１３  差込み孔
１４  面板の角
１５  連結子
１６、１７、１８  開口部
１９  底縁
２０  パネル
２３  面板
【図１】
0003654641.tif 000002
【図２】
0003654641.tif 000003
【図３】
0003654641.tif 000004
【図４】
0003654641.tif 000005
【図５】
0003654641.tif 000006
【図６】
0003654641.tif 000007